【事件の表示】
　特許第２９７７５０１号「使い捨て吸収性製品用の処分手段を備えた機械的ファスナー手段」の請求項１ないし３２に係る特許に対する特許異議の申立てについて、次のとおり決定する。
【結　論】
　訂正を認める。
　特許第２９７７５０１号の請求項１ないし３２に係る特許を維持する。
【理　由】
１．手続の経緯　
　　本件特許第２９７７５０１号は、昭和６３年１２月１７日（優先権主張１９８７年１２月１７日米国）に特許出願された特願昭６３−３１９３３６号の一部を平成８年１０月１１日に新たな特許出願としたもので、平成１１年９月１０日に設定登録がなされ、その後花王株式会社より特許異議の申立てがなされ、取消理由通知がなされたところ、その指定期間内である平成１２年１１月２９日に特許異議意見書の提出とともに訂正請求がなされたものである。
　
２．訂正の適否についての判断
（１）訂正の内容
  特許権者は、本件特許の明細書を訂正明細書の記載のとおりに訂正することを求めており、その具体的内容は、訂正前の特許請求の範囲の請求項１、請求項４、請求項１３、請求項２１、請求項２８、及び請求項３１にそれぞれ記載された「前記第２末端区域において」及び「第１機械的ファスナー手段とともに吸収製品の閉鎖体を形成するための第２機械的ファスナー手段」を、それぞれ「前記第２末端区域の端縁近傍において」及び「第１機械的ファスナー手段とともに吸収製品を着用する際の閉鎖体を形成するための第２機械的ファスナー手段」と訂正し、請求項２７に記載された「前記第２末端区域の前記外側面上」を「第２末端区域の端縁近傍の前記外側面上」と訂正するというものである。
　
（２）訂正の目的の適否、新規事項の有無及び特許請求の範囲の拡張・変更の有無
  上記の訂正は、訂正前の特許請求の範囲の請求項１、請求項４、請求項１３、請求項２１、請求項２８、及び請求項３１にそれぞれ記載された、ランド部材を設ける本体部分上の部位としての「第２末端区域」を「第２末端区域の端縁近傍」と、第１機械的ファスナー手段と第２機械的ファスナー手段とで形成される「吸収製品の閉鎖体」を「吸収製品を着用する際の閉鎖体」と限定し、また、請求項２７に記載されたランド部材を設ける部位としての「第２末端区域の外側面上」を「第２末端区域の端縁近傍の外側面上」と限定するものであるので特許請求の範囲の減縮に該当する。
　そして、「第２末端区域の端縁近傍」に設けられたランド部材に含まれる第２機械的ファスナー手段が第１機械的ファスナー手段とともに「吸収製品を着用する際の閉鎖体」を形成することは、願書に添付した明細書の【図面の簡単な説明】【第５図】の記載並びに第１図及び第５図の記載事項の範囲内のものであり、実質上特許請求の範囲を拡張又は変更するものではない。
　
(３) まとめ
　以上のとおりであるから、上記訂正は、特許法等の一部を改正する法律（平成６年法律第１１６号、以下「平成６年改正法」という。）附則第６条第１項の規定によりなお従前の例によるとされる、平成１１年改正前の特許法第１２０条の４第２項及び第３項において準用する平成６年改正法による改正前の特許法第１２６条第１条ただし書き、第２項及び第３項の規定に適合するので、当該訂正を認める。
　
３．特許異議の申立てについての判断
（１）本件発明
　上記の訂正が認められるので、本件請求項１乃至請求項３２に係る発明は訂正された明細書及び図面の記載からその特許請求の範囲の請求項１乃至３２に記載された事項により特定される以下のとおりのものと認められる。
「【請求項１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため吸収性製品の本体部分に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項２】
　前記処分手段は前記第１末端区域に位置する請求項１記載の吸収性製品。
　【請求項３】
　前記処分手段は前記本体部分の前記内側面に位置する請求項２記載の吸収性製品。
　【請求項４】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため前記閉鎖部材のファスナー面に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項５】
　前記処分手段は前記本体部分の前記外側面上に位置する請求項２記載の吸収性製品。
　【請求項６】
　前記処分手段は不織布である請求項５記載の吸収性製品。
　【請求項７】
　前記処分手段は前記本体部分と一体である請求項１，２，３又は５記載の吸収性製品。　
　【請求項８】
　前記処分手段は前記本体部分に接合された別個の要素である請求項１，２，３，５又は６記載の吸収性製品。
　【請求項９】
　前記第１ファスナー要素と前記第２ファスナー要素は補形の同一要素である請求項１又は４記載の吸収性製品。　
　【請求項１０】
　前記第１ファスナー要素と前記第２ファスナー要素は補形の別個の要素である請求項１又は４記載の吸収性製品。
　【請求項１１】
　前記第１ファスナー要素はフックファスナー材であり、前記第２ファスナー要素はループファスナー材である請求項１０記載の吸収性製品。　
　【請求項１２】　
　前記閉鎖部材は本体部分の内側面および／または外側面に配置された内部ファスナー部材を含む請求項１記載の吸収性製品。
　【請求項１３】
　内側面、該内側面の反対側である外側面、縦縁、端縁、第１末端区域、該第１末端区域の反対側の第２末端区域を有する本体部分、該本体部分は透液性トップシート；該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少なくとも一部に接合する第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を有し、前記第２機械的ファスナー手段は前記第１ファスナー要素と機械的に係合しうる第２ファスナー要素を含む、
　吸収性製品を簡便に廃棄するような形状に固定するため吸収性製品本体部分に設けられた処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
を有する使い捨て吸収性製品。
　【請求項１４】
　前記処分手段は前記第１末端区域に位置する請求項１３記載の吸収性製品。　
　【請求項１５】
　前記処分手段は前記本体部分の前記外側面上に位置する請求項１４記載の吸収性製品。
　【請求項１６】
　前記処分手段は前記本体部分と一体である請求項１３，１４又は１５記載の吸収性製品。　
　【請求項１７】
　前記処分手段は前記本体部分に接合された別個の要素である請求項１３，１４又は１５記載の吸収性製品。
　【請求項１８】
　前記第１ファスナー要素と前記第２ファスナー要素は補形の同一要素である請求項１３記載の吸収性製品。
　【請求項１９】　
　前記第１ファスナー要素と前記第２ファスナー要素は補形の別個の要素である請求項１３記載の吸収性製品。
　【請求項２０】
　前記第１ファスナー要素はフックファスナー材であり、前記第２ファスナー要素はループファスナー材である請求項１９記載の吸収性製品。
　【請求項２１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少くとも一部に接合する第１ファスナー要素を含む、
　前記第２末端区域の端縁近傍において前記本体部分上に設けられる少くとも一つのランド部材；該ランド部材は前記第１機械的ファスナー手段とともに吸収性製品を着用する際の閉鎖体を形成するため第２機械的ファスナー手段を有し、この第２機械的ファスナー手段は前記第１ファスナー要素と機械的に係合しうる第２ファスナー要素を含む、
　吸収性製品を簡便に廃棄しうるような形状に吸収性製品を固定させるため前記テープタブの少くとも一つの前記ファスナー面上に連結された処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
　を有する使い捨て吸収性製品。
　【請求項２２】
　前記第１ファスナー要素と前記第２ファスナー要素は補形の同一要素である請求項２１記載の吸収性製品。　
　【請求項２３】
　前記第１ファスナー要素と前記第２ファスナー要素は補形の別個の要素である請求項２１記載の吸収性製品。　
　【請求項２４】
　前記第１ファスナー要素はフックファスナー要素を含み前記第２ファスナー要素はループファスナーを含む請求項２１記載の吸収性製品。　
　【請求項２５】
　前記処分手段は前記テープタブの前記末端縁に隣接して配置される請求項２４記載の吸収性製品。　
　【請求項２６】
　前記処分手段は前記各テープタブの前記ファスナー面上に配置される請求項２１記載の吸収性製品。　
　【請求項２７】
　内側面、該内側面の反対側である外側面、縦縁、端縁、第１末端区域、該第１末端区域の反対側の第２末端区域を有する本体部分、該本体部分は透液性トップシート、該トップシートに組合わされる不透液性バックシート、前記トップシートと前記バックシートの間に設けられた吸収性コアを含む、
　前記第１末端区域において各縦縁に隣接して設けられ以下の（ａ）〜（ｇ）を含むテープタブ、
（ａ）前記本体部分に固着された第１固定部分、
（ｂ）前記内側面に前記第１固定部分を固着するため前記本体部分の前記内側面と前記第１固定部分と連結された第１タブ固定手段、
（ｃ）前記本体部分に固着された第２固定部分、
（ｄ）前記外側面に前記第２固定部分を固着するため前記本体部分の前記外側面と前記第２固定部分と連結された第２タブ固着手段、
（ｅ）前記第１固定部分と前記第２固定部分に接合し、末端縁、ファスナー面と前記ファスナー面と反対側の裏あて面を有する連結部分、
（ｆ）該連結部分を前記本体部分に固着するため前記連結部分の前記ファスナー面の少くとも一部に接合するフックファスナー材、
（ｇ）前記第１固定部分、第２固定部分と前記連結部分は、前記本体部分の前記縦縁に隣接して各々第１タブ固着手段および第２タブ固着手段で固着され、
　前記第２末端区域の端縁近傍の前記外側面上に設けられ、前記テープタブ上に設けられた前記フックファスナー材と機械的に係合しうるループファスナー材を含む少くとも一つのランド部材及び
　吸収性製品を簡便に廃棄しうるような形状に固定するため少くとも１つの前記テープタブの前記ファスナー面に設けられ、前記フックファスナー材と機械的に係合しうるループファスナー材を含む処分手段
　を有する使い捨て吸収性製品。　
　【請求項２８】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため、前記バックシート上に設けられた処分手段；該処分手段は前記第１機械的ファスナー手段を固定するための第３機械的ファスナー手段を有し、この第３機械的ファスナー手段は前記第１ファスナー要素と機械的に係合しうる第２ファスナー要素を含む、
　を有する使い捨て吸収性製品。
　【請求項２９】
　前記処分手段は、前記バックシート上であって廃棄形状において第１機械的ファスナー手段が当接する部分に接合された請求項２８記載の吸収性製品。　　
　【請求項３０】
　前記処分手段は、不織布である請求項２８記載の吸収性製品。　
　【請求項３１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段はフックファスナー材を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記フックファスナー材と機械的に係合しうるループファスナー材を含む、
　吸収性製品を簡便に廃棄する形状に固定させるため吸収性製品に設けられた処分手段；該処分手段は前記第１機械的ファスナー手段を固定するため本体部分上または閉鎖部材のファスナー面上に設けられた不織布を有し、この不織布は前記フックファスナー材と機械的に係合しうる、
　を有する使い捨て吸収性製品。　
　【請求項３２】
  前記不織布は、前記バックシート上であって廃棄形状において前記第１機械的ファスナー手段が当接する部分に接合される請求項３１に記載の吸収性製品。
　
（２）申立ての理由の概要
　申立人は、証拠として、甲第１号証乃至甲第５号証を提出し、本件請求項１乃至請求項３２に係る発明は、甲第２号証若しくは甲第３号証に記載された発明と同一発明であるか、又は、少なくとも甲第１号証乃至甲第５号証に記載された発明に基づいて、その発明の属する技術の分野における通常の知識を有する者が容易に発明をすることができたものであって、特許法第２９条第１項第３号に規定する発明に該当し、又は特許法第２９条第２項の規定により、特許を受けることができないものであるから、本件請求項１乃至請求項３２に係る特許は取り消すべきものである旨を主張している。
　
（３）申立人の提出した証拠及びその記載事項
　甲第１号証：Ｐ＆Ｇ社の製品［ニューパンパース（登録商標、以下略）］のパッケージ及びニューパンパースの発売に関して記載されている粧業日報
　甲第１号証の２：花王（株）の製品（メリーズ）のパッケージ及びメリーズについての花王販売レポート
　甲第１号証の３：ユニ・チャーム（株）の製品（ウルトラムーニー）のパッケージ及びウルトラムーニーの販売に関して記載されている資料
　甲第２号証：特開昭５７−１９１３０４号公報
　甲第３号証：特開昭５７−１６１１０１号公報
　甲第４号証：特開昭６２−２０６００１号公報
　甲第５号証：実開昭５８−１４３８０９号公報
　甲第１号証のＰ＆Ｇ社の製品「ニューパンパース」のパッケージには、紙おむつの使い方が図面とともに記載されており、「始末するとき」として小さく丸めてテープで止める態様が図示されている。そして、１９８７年３月２７日付けの粧業日報には、３月２４日に、Ｐ＆Ｇ社が４月１０日から発売される新製品「ニューパンパース」の発表会を開催した旨の記事が掲載されている。
　甲第１号証の２の花王（株）の製品「メリーズ」のパッケージには、紙おむつの使い方が図面とともに記載されており、「使用後は……」として小さく丸めてテープで止める態様が図示されている。そして、「メリーズ」の花王販売レポートには昭和６２年３月の日付が認められる。
　甲第１号証の３のユニ・チャーム（株）の製品「ウルトラムーニー」のパッケージには、紙おむつの使い方が図面とともに記載されており、「処理するときのコツ」として小さく丸めてテープで止める態様が図示されている。そして、「ウルトラムーニー」についての記事掲載の検索データには、１９８７年１１月１９日付け及び１９８７年７月１４日付けの「化学工業日報」誌に「ウルトラムーニー」に関する記事が掲載されたことが示されている。
　甲第２号証には、使い捨ておむつに関して、図面とともに以下の事項が記載されている。
ａ）「少なくとも、不透水性裏面シートと、透水性表面シートと、これらの間に介在せしめられた吸収体とからなり、且つおむつの前側部と背側部との腰囲り両端部を結合するための手段を備えている使い捨ておむつにおいて、前記裏面シートが繊維植設発泡体シートであり、且つ少なくとも前記腰囲り両端部に非伸縮性部材を備えていることを特徴とする前記おむつ。」［特許請求の範囲（１）］
ｂ）「第１図には、前側部１０と、背側部１１と、股下区域１２とからなる使い捨ておむつ１３の実施態様が示されている。おむつ１３は、不透水性裏面シート１４と、表面シート１５と、これらの間に介在せしめられた吸収体１６と、前側部１０と背側部１１との腰囲り両端部１７ａ，１７ｂに非伸縮性部材１８と、……背側部１１の腰囲り両端１７ａにこれと前側部１０の腰囲り両端部１７ｂとを結合するための手段２１を備えている。
　裏面シート１４としては、繊維植設発泡体シートが用いられ、これは、厚さ５ｍｍ以下の軟質ポリウレタンフォームに繊維が高速液体噴射処理法により一体的に植設されたものが好適である。繊維植設発泡体シートは、第１２図に符号１４ａで示され、軟質発泡体シート１４ｂの表面に繊維長１００ｍｍ以下の繊維群１４ｃが接着剤を介することなく均一に分布すると共に、その表面から内部に達するように植設されている。この植設状態を仔細に観察すると、繊維群１４ｃの或る繊維は発泡体シート１４ｂの表面で互いに交絡し或る繊維は互いに交絡しない状態で発泡体シート１４ｂの内部に達し、且つ発泡体シート１４ｂの内部でも或る繊維は互いに交絡し或る繊維は互いに交絡しない状態で分布している。」
（第２頁左下欄第３行〜同頁右下欄第７行）
ｃ）「結合手段２１としては、感圧性粘着テープ、係合突起群が植設された所謂テープファスナー、その他の適宜留具が用いられ、その取り付け部位は、非伸縮性部材１８が位置している部位であれば、背側部１１の腰囲り両端部１７ａの他、前側部１０の腰囲り両端部１７ｂ、その他の適宜部位であってもよい。」（第４頁左上欄第１７〜同頁右上欄第３行）
　甲第３号証には、使い捨ておむつに関して、図面とともに以下の事項が記載されている。
ｄ）「おむつの前側部と背側部との腰囲り両端部を結合するための結合具を備え、該結合具は掛止突起を設けた少なくとも二個の掛止部材と該掛止突起を着脱可能に掛止させるための繊維を有する少なくとも一個のテープ状の伸縮性締付部材とからなり、前記掛止部材は前記前側部・背側部の一方の腰囲りの非肌当面に適宜間隔をおいて固着し、前記締付部材は前記前側部・背側部の他方の腰囲りに該腰囲り両端部から延出させて固着してあることを特徴とする使い捨ておむつ。」［特許請求の範囲（１）］
ｅ）「本発明の目的は、従来一般に使用されている粘着テープ片に替えて特定の結合具を採択することにより前述の如き従来の欠点を除去すると共に、腰囲り両端部の結合と同時に該腰囲りを適度に締付けることが可能な使い捨ておむつを提供することにある。」（第２頁左上欄第１７行〜同頁右上欄第２行）
ｆ）「第１図、第２図は、本発明おむつに装着する結合具の概略断面図を示す。結合具は、扁平状の掛止部材１と、テープ状の伸縮性締付部材２とからなる。掛止部材１は、一般にテープファスナーと称されているもので、第１図Ａに示す如き鈎部、第１図Ｂに示す如き隆起部を設けた掛止突起３を基材４から突出させた構造を有する。締付部材２は、柔軟性ポリウレタン５に繊維６を植設した構造を有し、これは、例えば比較的長い繊維をポリウレタンに高速液体噴射処理法により植設することにより得られるものであるが、伸縮性繃帯の如きもの、その他のものであってもよく、何れにしても、掛止部材１の掛止突起３を締付部材２に押付けた際、掛止突起３が締付部材２の繊維６に着脱可能に掛止し得る機能を有するものであればよい。」（第２頁右上欄第１７行〜同頁左下欄第１３行）
ｇ）第２図乃至第１９図は、本発明の各実施態様のおむつを示す。各態様のおむつ７は、前側部８と、背側部９と、股下部１０とを有し、且つ着用時に肌当面となる透水性シート１１と非肌当面となる不透水性シート１２との間に吸収体（図示せず）を介在させた構造を有する。透水性シート１１としては前記掛止部材１の掛止突起群３を掛止し得る繊維からなる不織布を用いてあり、好ましくは繊維結合剤を用いない不織布、特に繊維ウエブの繊維を高速液体噴射処理法により交絡させた構造を有するものを用いるのがよい。」（第２頁左下欄第１８行〜同頁右下欄第８行）
ｈ）第２図乃至第４図に示す第１実施態様のおむつ７に於ては、前側部８の腰囲り両端部の非肌当面（合成樹脂フィルム、以下同じ）に適宜間隔をおいて掛止部材１ａ，１ｂを固着する一方、背側部９の腰囲り両端部の肌当面（不織布、以下同じ）に締付部材２ａ，２ｂの一端部を固着して各自由端部を外方へ延出させてある。この態様のおむつ７を着用する場合には、掛止部材１ａ，１ａに締付部材２ａ，２ｂの基端部近傍を且つ掛止部材１ｂ，１ｂに締付部材２ａ，２ｂの各自由端部を互に対向する方向に伸ばした状態でそれぞれ掛止させる。」（第２頁右下欄第１１行〜第３頁左上欄第１行）
ｉ）第５図乃至第７図に示す第２実施態様のおむつ７に於ては、締付部材２ａ，２ｂの一端部を背側部９の腰囲り両端部の非肌当面に固着してあることを除き第１実施態様の構成と同じである。この態様のおむつ７を着用する場合には、掛止部材１ａ，１ａに背側部９の腰囲り両端部の肌当面を且つ掛止部材１ｂ，１ｂに締付部材２ａ，２ｂの各自由端部を互に対向する方向に伸ばした状態でそれぞれ掛止させる。」（第３頁左上欄第２〜９行）
　甲第４号証には、バックルとグリップ型式の固定手段から成るおむつに関して、図面とともに以下の事項が記載されている。
ｊ）「本発明の目的は、バックルあるいはグリップを備える第１部材が支持シートで固定されているバックル及びグリップをもつ型式の固定手段から成る使い捨て完全おむつであって第１部材を補足するバックルあるいはグリップをもつ第２部材が支持シートで固定される舌状片の自由端部分でぬりつけられていることを特徴とするものを提供することにある。（第３頁左上欄第１２〜１９行）
ｋ）本発明によれば、その留め具は、シート４の側でその自由端に隣接して置かれる舌状片の表面でとりつけられるベルクロ型式の固定部材５２、６２からも成る。この部材は、接着により結合されるのが好ましいが、しかし溶接することもできる。
　縁２１に向かい合った縁２２に隣接して、吸収パッドは、留め具で取りつけられる部材で補足する少なくとも１つのベルクロ型式の固定部材８から成る。この部材は、支持シートに対し接着あるいは溶接によって結合されている。留め具の部材５２、６２は、グリップの型式であり、また部材８は、例えば、引っかかるメッシュの織物であるバックル型式である。
　図示される実施の態様によると、部材８は、長方形状でありかつパッドの幅のかなりの部分で延び、そのためおむつを当てたとき十分調節余裕をもたせるようにさせる。」（第４頁左上欄第１〜１７行）
　甲第５号証には、衛生用品として、以下の事項が図面とともに記載されている。
ｌ）「股下部を介してその一側に背側部とその他側に前側部とを有していて最外面が不織繊維層で覆われ、該背側部の腰囲り両側端に粘着テープの一端が取付けられているとともに、該粘着テープの自由端を該前側部の最外面に接着して着用するようにされている衛生用品において、前記両粘着テープの自由端を接着すべき部位の前記前側部の最外面に外面が実質的に平滑な補強シートを一体的に固着してあることを特徴とする前記衛生用品。」［実用新案登録請求の範囲（１）］
ｍ）「使い捨ておむつ、おむつカバーである実用新案登録請求の範囲第１項記載の衛生用品。」［実用新案登録請求の範囲（９）］
　
（４）当審の判断
ｉ）本件請求項１に係る発明（以下、「本件発明１」という。）は、上記（１）本件発明に述べたとおりのものであるが、これを分節して示すと以下の通りである。
Ａ．内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む（以下、「構成Ａ」という。）、
Ｂ．前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む（以下、「構成Ｂ」という。）、
Ｃ．前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む（以下、「構成Ｃ」という。）、
Ｄ．吸収性製品を簡便に廃棄する形状に固定させるため吸収性製品の本体部分に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む（以下、「構成Ｄ」という。）、
　を有する使い捨て吸収性製品。　
ii）これに対して、甲第２号証（当審で通知した取消理由で引用した刊行物１）には、本件発明１の「使い捨て吸収性製品」に相当することの明らかな「使い捨ておむつ」が記載されており、該使い捨ておむつが、「内側面、該内側面の反対側である外側面、縦縁、端縁」を有することは、明細書及び図面の記載に照らして明らかであり、甲第２号証に記載された「背側部１１」及び「前側部１０」は、それぞれ本件発明１の「第１末端区域」及び「第２末端区域」の何れかに相当し、また、甲第２号証に記載された「透水性表面シート」、「不透水性裏面シート」及び「吸収体」はそれぞれ本件発明１の「透液性トップシート」、「不透液性バックシート」及び「吸収性コア」に相当するので、甲第２号証に記載された紙おむつは、「内側面、該内側面の反対側である外側面、縦縁、端縁、第１末端区域、該第１末端区域の反対側の第２末端区域を有する本体部分」を有し、該本体部分が「透液性トップシート、該トップシートに組み合わされる不透液性バックシート、前記トップシートと前記バックシートの間に設けられた吸収性コアを含む」ものということができる。すなわち、甲第２号証に記載された紙おむつは、本件発明１の構成Ａを具備している。
　甲第２号証に記載された紙おむつにおいて、背側部１１の腰囲り両端１７ａに備えられる「結合手段２１」は、該背側部１１の腰囲り両端１７ａと前側部１１の腰囲り両端１７ｂとを結合するもので、本件請求項１に係る発明の第１末端区域の各縦縁に近接して設けられる「閉鎖部材」に相当し、上記ｃ）に記載された「係合突起群が植設された所謂テープファスナー」は本件発明１の「機械的ファスナー手段」に相当し、少なくとも一の機械的ファスナー要素を含むものということができる。
すなわち甲第２号証に記載された紙おむつは、本件発明１の構成Ｂを具備している。
　甲第２号証に記載された結合手段２１は、背側部１１の腰囲り両端１７ａと前側部１０の腰囲り両端１７ｂとを結合するものであり、該結合がなされた状態は、おむつを着用する際の閉鎖体を形成することは、図面を参照するまでもなく明らかである。そしてこの結合手段２１は、背側部１１の腰囲り両端部１７ａのみならず前側部１０の腰囲り両端１７ｂに取り付けてもよいことは、上記ｃ）に記載されているが、該結合部材２１を取り付けた背側部１１又は前側部１０（本件発明１の第１末端区域に相当する）の反対側である前側部１０又は背側部１１（本件請求項１に係る発明の第２末端区域に相当する）における本体部分上に該結合手段２１とともに上記閉鎖体を形成するための部材、すなわち、本件発明１の「ランド部材」に相当する部材を設けることについては何も記載されていない。
　また、甲第２号証には、使用後の紙おむつを簡便に廃棄する形状に固定させることについても、そのために本件発明１の「処分手段」に相当する部材をおむつ本体上に設けることについても何も記載されていない。
  すなわち甲第２号証には、本件発明１の構成Ｃ及び構成Ｄについては記載されていない。
iii）甲第３号証（当審で通知した取消理由で引用した刊行物２）には、甲第２号証に記載されたものと同様に、本件発明１の「使い捨て吸収製品」に相当する「内側面、該内側面の反対側である外側面、縦縁、端縁」を有する「使い捨ておむつ」が記載されており、甲第３号証に記載された「背側部９」及び「前側部８」は、それぞれ本件発明１の「第１末端区域」及び「第２末端区域」の何れかに相当し、また、甲第３号証に記載された「着用時に肌当面となる透水性シート１１」、「非肌当面となる不透水性シート」及び「吸収体」はそれぞれ本件発明１の「透液性トップシート」、「不透液性バックシート」及び「吸収性コア」に相当するので、甲第３号証に記載されたおむつは、「内側面、該内側面の反対側である外側面、縦縁、端縁、第１末端区域、該第１末端区域の反対側の第２末端区域を有する本体部分」を有し、該本体部分が「透液性トップシート、該トップシートに組み合わされる不透液性バックシート、前記トップシートと前記バックシートの間に設けられた吸収性コアを含む」ものということができる。すなわち、甲第３号証に記載された紙おむつは、本件発明１の構成Ａを具備している。
　甲第３号証に記載されたおむつにおける、おむつの前側部と背側部との腰囲り両端部を結合するための「結合具」は、本件発明１の「閉鎖部材」に相当し、「扁平状の掛止部材１」と、テープ状の伸縮性締付部材２からなり、掛止部材１の基材４から突出させた掛止突起３が締付部材２の繊維６に着脱可能に掛止し得るものとされているので、本件発明１にいう「機械的ファスナー手段」ということができ、少なくとも、その一方は「第１ファスナー要素」を含む「第１機械的ファスナー手段」ということができる
　すなわち甲第３号証に記載されたおむつは、本件発明１の構成Ｂを具備している。
　甲第３号証に記載されたおむつにおいて、前側部・背側部の一方の腰囲り両端部の一方の非肌当て面に適宜間隔をおいて固着された「掛止部材１」は、着用時に他方の腰囲り両端部に腰囲り両端部から延出させて固着してある締付部材２と係合するものであるので、上記締付部材２を背側部（第１末端区域）の腰囲り両端部に固着して「第１機械的ファスナー手段」とするとき、前側部（第２末端区域）において本体部分上に設けられ、締付部材（第１機械的ファスナー手段）とともにおむつを着用する際の閉鎖体を形成するための掛止突起（第２ファスナー要素）を有する手段（第２機械的ファスナー手段）を含む部材ということになり、本件発明１の「ランド部材」に相当するものということができ、その固着部位は、上記第２末端区域の端縁近傍であることは図面からも明らかである。
　すなわち甲第３号証に記載されたおむつは、本件発明１の構成Ｃを具備しているということができる。
　しかしながら、甲第３号証には、甲第２号証と同様、使用後の紙おむつを簡便に廃棄する形状に固定させることについても、そのために本件発明１の「処分手段」に相当する部材をおむつ本体上に設けることについても何も記載されていない。
　すなわち甲第３号証には、本件発明１の構成Ｄについて何も記載されていない。
iv）そして、甲第４号証（当審で通知した取消理由で引用した刊行物３）に記載された「おむつ」は、バックルとグリップをもつ型式の固定手段、すなわち、機械的ファスナー手段を有するものであり、図面の記載を参照すれば、上記バックルとグリップは、おむつを当てたとき、すなわち、着用時の固定手段を構成するものであって、本件発明１でいう第１機械的ファスナー手段及び第２機械的ファスナー手段に相当するものと認められるが、それらの機械的ファスナー手段を用いて、おむつを簡単に廃棄する形状に固定すること、そのために第１機械的ファスナー手段を固定するための第３機械的ファスナー手段を有することについては、記載も示唆もされていない。
ｖ）さらに、甲第５号証（当審で通知した取消理由で引用した刊行物４）に記載された衛生用品として例示された「使い捨ておむつ」は、本件発明１の「使い捨て吸収性製品」に相当するが、その着用時には、背側部の腰囲り両側端に、一端が取り付けられた粘着テープの自由端を前側部の最外面に接着するものであり、本件発明１の第１機械的ファスナー手段を有するものではなく、しかも、おむつを簡単に廃棄する形状に固定することも、そのための手段を有することも記載も示唆もされていない。
vi）ところで、異議申立人が、甲第１号証乃至甲第１号証の３として提示した紙おむつ等のパッケージには使用後の使い捨ておむつを小さく丸めてテープで止めること、すなわちおむつを簡便に廃棄する形状に固定することが示されており、該テープとしては着用時の固定手段としてのテープを用いていることが図面から推測することができる。
　しかしながら、上記甲第１号証乃至甲第１号証の３の何れにおいても固定手段としてのテープは、本件明細書の【従来の技術】の項に示されている、接着性テープファスナー手段に相当するものが開示されるにとどまり、本件発明１の、第１機械的ファスナー手段、及びそれを固定するための第３機械的ファスナー手段を有する処分手段については記載も示唆もされていない。
　そして、本件請求項１に係る発明は、従来技術において「接着性テープファスナー手段」を使用した際に生じる欠点を排除することを目的のひとつとして、「機械的ファスナー手段」を有する吸収性製品において、その処分手段として、吸収性製品を簡便に廃棄する形状に固定する手段として、着用時の閉鎖体を形成するための「第１機械的ファスナー手段」を使用すべく、さらに該第１機械的ファスナー手段を固定するための第２機械的要素を含む第３機械的ファスナー手段を有するものとしたものであるから、該「機械的ファスナー手段」を使用することについて何も示していない甲第１号証乃至甲第１号証の３として提示された紙おむつ等のパッケージが本件特許の出願前公知であったとしても、そのことによって、本件発明１が、甲第２号証若しくは甲第３号証に記載された発明と同一発明であるということはできず、また、甲第１号証乃至甲第５号証に記載された事項をいかように組み合わせても、該構成Ｄを具備する本件発明１とはなし得ないのであるから、本件発明１は、当業者が上記甲号各証の記載に基づいて容易に発明をすることができたものということもできない。
vii）本件請求項４に係る発明は、本件発明１の構成Ｄにおいて「処分手段」が「本体部分に設けられた」のに対し、「処分手段」を「閉鎖部材のファスナー面に設けられた」とした点のほかは本件発明１と同じであり、該処分手段は、第１機械的ファスナー手段を固定する第３機械的手段を有するものである。
　そして、上記のように、第１機械的ファスナー手段を固定する第３機械的手段を有する「処分手段」は、甲第１号証乃至甲第５号証に記載も示唆もされていないので、本件請求項４に係る発明は、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
　本件請求項１３に係る発明は、本件発明１の構成Ｂにおける「閉鎖部材」を「テープタブ」とした点のほかは、本件発明１と同じであり、本件発明１の構成Ｄを具備するものであるので、やはり、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
　本件請求項２１に係る発明は、本件請求項１に係る発明の構成Ｂにおける「閉鎖部材」を「テープタブ」とし、該テープタブをさらに限定するとともに、処分手段を「テープタブの少なくとも一つの前記ファスナー面上に連結」としたものであるが、本件請求項４に係る発明と同様に、処分手段は第１機械的ファスナー手段を固定する第３機械的手段を有するものであり、やはり、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
　本件請求項２７に係る発明は、本件発明１の構成Ｂにおける「閉鎖部材」を「テープタブ」とし、該テープタブをさらに限定し、「第１機械的ファスナー要素」を「フックファスナー材」とし、本件発明１の構成Ｃにおけるランド部材に含まれる「第２機械的ファスナー要素」を「ループファスナー材」とし、本件発明１においてランド部材に含まれる第２機械的ファスナー手段が第１機械的ファスナー手段とともに吸収性製品を着用する際の閉鎖体を形成するとしているのに対し、特に閉鎖体について言及しておらず、さらに、本件発明１の構成Ｄにおいて「処分手段」が「本体部分に設けられた」のに対し、「処分手段」を「テープタブのファスナー面に設けられた」としたものであるが、少なくとも、該処分手段については、本件請求項４に係る発明と同様に、第１機械的ファスナー手段を固定する第３機械的手段を有するものであるので、やはり、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
　本件請求項２８に係る発明は、本件発明１の構成Ｄにおける処分手段を設ける位置である「本体部分」を「バックシート上」と限定したほかは本件発明１と同じであり、請求項３１に係る発明は、本件発明１の構成Ｂ、構成Ｃ及び構成Ｄにおける「第１ファスナー要素」、構成Ｃのおける「第２ファスナー要素」及び構成Ｄにおける「第３機械的ファスナー手段」をそれぞれ「フックファスナー材」、「ループファスナー材」及び「本体部分上又は閉鎖部材のファスナー面上に設けられた不織布」と限定したほかは本件発明１と同じであるので、何れも、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
viii）本件請求項２、請求項３、請求項５乃至請求項１２、請求項１４乃至請求項２０、請求項２２乃至請求項２６、請求項２９及び請求項３２に係る発明は、何れも、本件発明１及び前記vii）で言及した各請求項に係る発明の何れかをさらに限定するものであり、本件発明１の構成Ｄに係る第１機械的ファスナー手段を固定する第３機械的手段を有する処分手段を備えるものであるので、本件発明１について述べたと同様の理由によって、甲第２号証若しくは甲第３号証に記載された発明と同一のものということも、当業者が甲第１号証乃至甲第５号証の記載に基づいて容易に発明をすることができたものとすることもできない。
ix）以上のとおりであるから、本件請求項１乃至請求項３２に係る発明は、何れも、甲第２号証若しくは甲第３号証に記載された発明であるということも、甲第１号証乃至甲第５号証に記載された発明に基づいて当業者が容易に発明をすることができたものということもできない。
　
（５）異議申立人の主張について
　異議申立人は、本件各請求項に係る発明について、概略以下のように主張している。
（Ｉ）本件請求項１、請求項１３、請求項２８及び請求項３１に係る発明は、甲第２号証に記載された発明と同一発明であるか又は少くとも甲第１号証乃至甲第１号証の３及び甲第２号証の記載に基づいて当業者が容易に類推し得る程度のものである。
（II）本件請求項２、請求項３、請求項５乃至請求項８、請求項１０、請求項１１、請求項１４乃至請求項１７、請求項１９及び請求項２０に係る発明は、甲第２号証又は甲第３号証に記載された発明と同一発明であるか又は少くとも甲第１号証乃至甲第１号証の３、甲第２号証、甲第３号証及び甲第５号証の記載に基づいて当業者が容易に類推し得る程度のものである。
（III）本件請求項２９、請求項３０及び請求項３２に係る発明は、甲第２号証に記載された発明と同一発明であるか又は少くとも甲第１号証乃至甲第１号証の３、甲第２号証及び甲第３号証の記載に基づいて当業者が容易に類推し得る程度のものである。
（IV）本件請求項４、請求項９、請求項１２、請求項１８、請求項２１乃至２７に係る発明は、いずれも前記の各請求項に係る発明と、一部の構成のみが相違しているに過ぎず、該相違点は、いずれも、少くとも甲第２号証及び甲第３号証の記載から当業者の容易に類推しうる程度のものである。
（Ｖ）本件請求項１乃至請求項３、請求項１３、請求項２１、請求項２８及び請求項３１に係る発明、並びに上記各請求項に係る発明をさらに限定した発明は何れも甲第３号証乃至甲第５号証の記載に基づいて当業者が容易に類推しうる程度のものである。
　そして、本件発明１と甲第２号証に係る発明との対比において、甲第２号証に記載された紙おむつの裏面シートとして用いられる「繊維植設発泡体シート」が本件請求項１に係る発明の「ランド部材」に相当する旨、及び使用後の使い捨ておむつを簡便に廃棄する形状に固定させるために、結合手段を利用することは甲第１号証〜甲第１号証の３及び本件明細書の従来技術に関する記載から明らかなように一般の需用者が日常行っている当たり前の手段であるから、甲第２号証に構成Ｄが記載されていなくても甲第２号証に記載された発明と本件発明１との間に差違はない旨を主張している。
　しかし、甲第２号証に記載された「繊維植設発泡体シート」は、ループ状の繊維を含んでおり、結合手段２１が「係合突起群が植設された所謂テープファスナー」である場合には、ループ状の繊維が係合突起群と係合することは認められるが、該「繊維植設発泡体シート」は、おむつの本体部分を構成するものである。これに対し、本件発明１の「ランド部材」は、「第２末端区域の端縁近傍において前記本体部分上に設けられる」との記載から、本体部分の特定の部位に本体部分とは別個に設けられる部材と解されるものであり、両者は異なるものであり、甲第２号証に記載された「繊維植設発泡体シート」が本件発明１の「ランド部材」に相当するということはできない。
　また、甲第１号証乃至甲第１号証の３として提示された紙おむつ等のパッケージには使用後の使い捨ておむつを小さく丸めてテープで止めることが示されており、該テープとしては着用時の固定手段としてのテープを用いていることが推測できるが、何れも固定手段としてのテープは「機械的ファスナー手段」であるとはいえないことは上記（４）iv）で述べたとおりであり、本件明細書の【従来の技術】の項の記載も、吸収性製品を簡便に廃棄する形状に固定する手段として「機械的ファスナー手段」を使用することが従来周知であったことを示すものではないので、これらの記載事項によって、本件発明１の構成Ｄが従来一般に知られた技術的事項であるということもできず、甲第２号証にそれが記載されているということもできない。
　したがって、本件発明１と甲第２号証に記載された発明との対比についての異議申立人の上記の主張は何れも採用できない。
　そして、本件請求項２乃至請求項３２についての判断は上記（４）に述べたとおりであり、その何れも甲第２号証若しくは甲第３号証に記載された発明と同一の発明であるということも、甲第１号証乃至甲第５号証に記載された発明に基づいて当業者が容易に発明をすることができたものであるということもできないのであるから、異議申立人の上記（Ｉ）乃至（Ｖ）も理由があるものとすることはできない。
　なお、異議申立人が使い捨ておむつの外面を不織布で構成することが周知であったことを立証する甲第５号証の他の文献として例示した文献についても検討したが、それらの文献のいずれにも、おむつを機械的ファスナー手段で固定すること及び該機械的ファスナー手段を用いた処分手段を備えることについては、何も記載されていない。
　
４．むすび
　以上のとおりであるから、特許異議申立ての理由及び証拠によっては、本件請求項１乃至請求項３２に係る特許を取り消すことはできない。
　また、他に本件請求項１乃至請求項３２に係る特許を取り消すべき理由を発見しない。
　よって、特許法等の一部を改正する法律（平成６年法律第１１６号）附則第１４条の規定に基づく、同法の施行に伴う経過措置を定める政令（平成７年政令第２０５号）第４条第１項及び第２項の規定により、結論のとおり決定する。
【異議決定日】
平成１３年１月２５日（２００１．１．２５）
【訂正の要旨】
特許明細書を特許請求の範囲の減縮を目的として訂正明細書の記載のとおりに訂正する。
　すなわち、特許請求の範囲の請求項１、４、１３、２１、２８及び３１にそれぞれ記載された「前記第２末端区域において」及び「第１機械的ファスナー手段とともに吸収製品の閉鎖体を形成するための第２機械的ファスナー手段」を、それぞれ「前記第２末端区域の端縁近傍において」及び「第１機械的ファスナー手段とともに吸収製品を着用する際の閉鎖体を形成するための第２機械的ファスナー手段」と、特許請求の範囲の請求項２７に記載された「前記第２末端区域の前記外側面上」を　「前記第２末端区域の端縁近傍の前記外側面上」として、特許請求の範囲の請求項を１、４、１３、２１、２７，２８及び３１を以下のように訂正する。
　【請求項１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため吸収性製品の本体部分に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項４】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため前記閉鎖部材のファスナー面に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項１３】
　内側面、該内側面の反対側である外側面、縦縁、端縁、第１末端区域、該第１末端区域の反対側の第２末端区域を有する本体部分、該本体部分は透液性トップシート；該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少なくとも一部に接合する第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を有し、前記第２機械的ファスナー手段は前記第１ファスナー要素と機械的に係合しうる第２ファスナー要素を含む、
　吸収性製品を簡便に廃棄するような形状に固定するため吸収性製品本体部分に設けられた処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
を有する使い捨て吸収性製品。
　【請求項２１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少くとも一部に接合する第１ファスナー要素を含む、
　前記第２末端区域の端縁近傍において前記本体部分上に設けられる少くとも一つのランド部材；該ランド部材は前記第１機械的ファスナー手段とともに吸収性製品を着用する際の閉鎖体を形成するため第２機械的ファスナー手段を有し、この第２機械的ファスナー手段は前記第１ファスナー要素と機械的に係合しうる第２ファスナー要素を含む、
　吸収性製品を簡便に廃棄しうるような形状に吸収性製品を固定させるため前記テープタブの少くとも一つの前記ファスナー面上に連結された処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
　を有する使い捨て吸収性製品。
　【請求項２７】
　内側面、該内側面の反対側である外側面、縦縁、端縁、第１末端区域、該第１末端区域の反対側の第２末端区域を有する本体部分、該本体部分は透液性トップシート、該トップシートに組合わされる不透液性バックシート、前記トップシートと前記バックシートの間に設けられた吸収性コアを含む、
　前記第１末端区域において各縦縁に隣接して設けられ以下の（ａ）〜（ｇ）を含むテープタブ、
（ａ）前記本体部分に固着された第１固定部分、
（ｂ）前記内側面に前記第１固定部分を固着するため前記本体部分の前記内側面と前記第１固定部分と連結された第１タブ固定手段、
（ｃ）前記本体部分に固着された第２固定部分、
（ｄ）前記外側面に前記第２固定部分を固着するため前記本体部分の前記外側面と前記第２固定部分と連結された第２タブ固着手段、
（ｅ）前記第１固定部分と前記第２固定部分に接合し、末端縁、ファスナー面と前記ファスナー面と反対側の裏あて面を有する連結部分、
（ｆ）該連結部分を前記本体部分に固着するため前記連結部分の前記ファスナー面の少くとも一部に接合するフックファスナー材、
（ｇ）前記第１固定部分、第２固定部分と前記連結部分は、前記本体部分の前記縦縁に隣接して各々第１タブ固着手段および第２タブ固着手段で固着され、
　前記第２末端区域の端縁近傍の前記外側面上に設けられ、前記テープタブ上に設けられた前記フックファスナー材と機械的に係合しうるループファスナー材を含む少くとも一つのランド部材及び
　吸収性製品を簡便に廃棄しうるような形状に固定するため少くとも一つの前記テープタブの前記ファスナー面に設けられ、前記フックファスナー材と機械的に係合しうるループファスナー要素を含む処分手段
　を有する使い捨て吸収性製品。
　【請求項２８】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記第１ファスナー要素と機械的に係合しうる第２ファスナー要素を含む、
　吸収性製品を簡便に廃棄する形状に固定させるため、前記バックシート上に設けられた処分手段；該処分手段は前記第１機械的ファスナー手段を固定するための第３機械的ファスナー手段を有し、この第３機械的ファスナー手段は前記第１ファスナー要素と機械的に係合しうる第２ファスナー要素を含む、
　を有する使い捨て吸収性製品。
　【請求項３１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段はフックファスナー材を含む、
　前記第２末端区域の端縁近傍において前記本体部分上に設けられるランド部材；該ランド部材は第１機械的ファスナー手段とともに吸収性製品を着用する際の閉鎖体を形成するための第２機械的ファスナー手段を含み、前記第２機械的ファスナー手段は前記フックファスナー材と機械的に係合しうるループファスナー材を含む、
　吸収性製品を簡便に廃棄する形状に固定させるため吸収性製品に設けられた処分手段；該処分手段は前記第１機械的ファスナー手段を固定するため本体部分上または閉鎖部材のファスナー面上に設けられた不織布を有し、この不織布は前記フックファスナー材と機械的に係合しうる、
　を有する使い捨て吸収性製品。
（５４）【発明の名称】
使い捨て吸収性製品用の処分手段を備えた機械的ファスナー手段
（５７）【特許請求の範囲】
　【請求項１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域
の端縁近傍
を着用する際
　吸収性製品を簡便に廃棄する形状に固定させるため吸収性製品の本体部分に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項２】
　前記処分手段は前記第１末端区域に位置する請求項１記載の吸収性製品。
　【請求項３】
　前記処分手段は前記本体部分の前記内側面に位置する請求項２記載の吸収性製品。
　【請求項４】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域
の端縁近傍
を着用する際
　吸収性製品を簡便に廃棄する形状に固定させるため前記閉鎖部材のファスナー面に設けられた処分手段；該処分手段は前記第１機械的ファスナー手段を固定するため第３機械的ファスナー手段を有し、この第３機械的ファスナー手段は前記第１ファスナー要素と機械的に係合しうる第２ファスナー要素を含む、
　を有する使い捨て吸収性製品。
　【請求項５】
　前記処分手段は前記本体部分の前記外側面上に位置する請求項２記載の吸収性製品。
　【請求項６】
　前記処分手段は不織布である請求項５記載の吸収性製品。
　【請求項７】
　前記処分手段は前記本体部分と一体である請求項１，２，３又は５記載の吸収性製品。
　【請求項８】
　前記処分手段は前記本体部分に接合された別個の要素である請求項１，２，３，５又は６記載の吸収性製品。
　【請求項９】
　前記第１ファスナー要素と前記第２ファスナー要素は補形の同一要素である請求項１又は４記載の吸収性製品。
　【請求項１０】
　前記第１ファスナー要素と前記第２ファスナー要素は補形の別個の要素である請求項１又は４記載の吸収性製品。
　【請求項１１】
　前記第１ファスナー要素はフックファスナー材であり、前記第２ファスナー要素はループファスナー材である請求項１０記載の吸収性製品。
　【請求項１２】
　前記閉鎖部材は本体部分の内側面および／または外側面に配置された内部ファスナー部材を含む請求項１記載の吸収性製品。
　【請求項１３】
　内側面、該内側面の反対側である外側面、縦縁、端縁、第１末端区域、該第１末端区域の反対側の第２末端区域を有する本体部分、該本体部分は透液性トップシート；該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少くとも一部に接合する第１ファスナー要素を含む、
　前記第２末端区域
の端縁近傍
を着用する際
　吸収性製品を簡便に廃棄するような形状に固定するため吸収性製品本体部分に設けられた処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
を有する使い捨て吸収性製品。
　【請求項１４】
　前記処分手段は前記第１末端区域に位置する請求項１３記載の吸収性製品。
　【請求項１５】
　前記処分手段は前記本体部分の前記外側面上に位置する請求項１４記載の吸収性製品。
　【請求項１６】
　前記処分手段は前記本体部分と一体である請求項１３，１４又は１５記載の吸収性製品。
　【請求項１７】
　前記処分手段は前記本体部分に接合された別個の要素である請求項１３，１４又は１５記載の吸収性製品。
　【請求項１８】
　前記第１ファスナー要素と前記第２ファスナー要素は補形の同一要素である請求項１３記載の吸収性製品。
　【請求項１９】
　前記第１ファスナー要素と前記第２ファスナー要素は補形の別個の要素である請求項１３記載の吸収性製品。
　【請求項２０】
　前記第１ファスナー要素はフックファスナー材であり、前記第２ファスナー要素はループファスナー材である請求項１９記載の吸収性製品。
　【請求項２１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられたテープタブ；前記各テープタブは前記本体部分に固着した固定部分、該固定部分に接合し末端縁を有する連結部分、ファスナー面、該ファスナー面と反対側の裏あて面、吸収性製品の閉鎖体を形成するための第１機械的ファスナー手段を有し、該第１機械的ファスナー手段は前記テープタブの前記連結部分の前記ファスナー面の少くとも一部に接合する第１ファスナー要素を含む、
　前記第２末端区域
の端縁近傍
を着用する際
　吸収性製品を簡便に廃棄しうるような形状に吸収性製品を固定させるため前記テープタブの少くとも一つの前記ファスナー面上に連結された処分手段；該処分手段は前記第１機械的ファスナー手段を固定するための第３機械的ファスナー手段を有し該第３機械的ファスナー手段は前記第１ファスナー要素と機械的に係合しうる第２ファスナー要素を含む、
　を有する使い捨て吸収性製品。
　【請求項２２】
　前記第１ファスナー要素と前記第２ファスナー要素は補形の同一要素である請求項２１記載の吸収性製品。
　【請求項２３】
　前記第１ファスナー要素と前記第２ファスナー要素は補形の別個の要素である請求項２１記載の吸収性製品。
　【請求項２４】
　前記第１ファスナー要素はフックファスナー要素を含み前記第２ファスナー要素はループファスナーを含む請求項２１記載の吸収性製品。
　【請求項２５】
　前記処分手段は前記テープタブの前記末端縁に隣接して配置される請求項２４記載の吸収性製品。
　【請求項２６】
　前記処分手段は前記各テープタブの前記ファスナー面上に配置される請求項２１記載の吸収性製品。
　【請求項２７】
　内側面、該内側面の反対側である外側面、縦縁、端縁、第１末端区域、該第１末端区域の反対側の第２末端区域を有する本体部分、該本体部分は透液性トップシート、該トップシートに組合わされる不透液性バックシート、前記トップシートと前記バックシートの間に設けられた吸収性コアを含む、
　前記第１末端区域において各縦縁に隣接して設けられ以下の（ａ）〜（ｇ）を含むテープタブ、
（ａ）　前記本体部分に固着された第１固定部分、
（ｂ）　前記内側面に前記第１固定部分を固着するため前記本体部分の前記内側面と前記第１固定部分と連結された第１タブ固着手段、
（ｃ）　前記本体部分に固着された第２固定部分、
（ｄ）　前記外側面に前記第２固定部分を固着するため前記本体部分の前記外側面と前記第２固定部分と連結された第２タブ固着手段、
（ｅ）　前記第１固定部分と前記第２固定部分に接合し、末端縁、ファスナー面と前記ファスナー面と反対側の裏あて面を有する連結部分、
（ｆ）　該連結部分を前記本体部分に固着するため前記連結部分の前記ファスナー面の少くとも一部に接合するフックファスナー材、
（ｇ）　前記第１固定部分、第２固定部分と前記連結部分は、前記本体部分の前記縦縁に隣接して各々第１ダブ固着手段および第２タブ固着手段で固着され、
　前記第２末端区域
の端縁近傍
　吸収性製品を簡便に廃棄しうるような形状に固定するため少くとも１つの前記テープタブの前記ファスナー面に設けられ、前記フックファスナー材と機械的に係合しうるループファスナー材を含む処分手段
　を有する使い捨て吸収性製品。
　【請求項２８】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段は第１ファスナー要素を含む、
　前記第２末端区域
の端縁近傍
を着用する際
　吸収性製品を簡便に廃棄する形状に固定させるため、前記バックシート上に設けられた処分手段；該処分手段は前記第１機械的ファスナー手段を固定するための第３機械的ファスナー手段を有し、この第３機械的ファスナー手段は前記第１ファスナー要素と機械的に係合しうる第２ファスナー要素を含む、
　を有する使い捨て吸収性製品。
　【請求項２９】
　前記処分手段は、前記バックシート上であって廃棄形状において第１機械的ファスナー手段が当接する部分に接合された請求項２８記載の吸収性製品。
　【請求項３０】
　前記処分手段は、不織布である請求項２８記載の吸収性製品。
　【請求項３１】
　内側面、該内側面の反対側である外側面、縦縁、端縁、第１末端区域、該第１末端区域の反対側の第２末端区域を有する本体部分；該本体部分は透液性トップシート、該トップシートに組み合わされる不透液性バックシート、前記トップシートと前記バックシートの間に設けられた吸収性コアを含む、
　前記第１末端区域において前記本体部分の各縦縁に近接して設けられる閉鎖部材；各閉鎖部材は吸収性製品の閉鎖体を形成するための第１機械的ファスナー手段を含み、該第１機械的ファスナー手段はフックファスナー材を含む、
　前記第２末端区域
の端縁近傍
を着用する際
　吸収性製品を簡便に廃棄する形状に固定させるため吸収性製品に設けられた処分手段；該処分手段は前記第１機械的ファスナー手段を固定するため本体部分上または閉鎖部材のファスナー面上に設けられた不織布を有し、この不織布は前記フックファスナー材と機械的に係合しうる、
　を有する使い捨て吸収性製品。
　【請求項３２】
　前記不織布は、前記バックシート上であって廃棄形状において前記第１機械的ファスナー手段が当接する部分に接合される請求項３１に記載の吸収性製品。
【発明の詳細な説明】
　【０００１】
　【発明の属する技術分野】
　本発明は使い捨て吸収性製品用のファスナー手段に関するものであり、特に吸収性製品を簡便に使い捨てるための使い捨て吸収性製品用の改良型機械的ファスナー手段に関するものである。
　【０００２】
　【従来の技術】
　オシメなどの使い捨て吸収性製品の隅部を固着するために接着剤テープファスナー手段を使用する事は公知である。これらの型の接着性テープファスナー手段は米国特許Ｒｅ．２６．１５１および米国特許第３，８４８，５９４号に記載されている。
　【０００３】
　接着性テープファスナー手段は、使用中の使い捨て吸収性製品を着用者上に保持する固着手段である。さらに再固定可能の接着性テープファスナー手段は、使い捨て吸収性製品を廃棄のために固いパッケージ状に折り畳みまたは巻上げて、廃棄形状に固定し、簡単にゴミ箱の中に捨てる事を可能にする。このような接着性テープファスナー手段が巻き上げられた吸収性製品に固着された時、この吸収性製品を投げ捨ててもその内容物は漏れない。
　【０００４】
　しかし接着性テープファスナー手段は多くの欠点を有する。その１つは、この手段が油または粉末によって汚染されやすく、これがテープタブ上の接着剤と接触すると接着剤が有効な側面閉鎖を成すに十分な強さをもって吸収性製品に接着しない事である。さらに吸収性製品が汚れたかいなかをチェックするため、またはそのフィットを調節するためテープファスナー手段が緩められた時に、接着性テープファスナー手段が吸収性製品のバックシートを引き裂く可能性がある。従ってバックシートに孔が開けられ、テープファスナー手段を固定する事ができなくなり、テープファスナー手段が使用できなくなる。従って、油または粉末によって容易に汚染されず、再固定が容易であり、吸収性製品またはテープファスナー手段を緩めた後に使用不能とならないファスナー手段を提供するにある。
　【０００５】
　吸収性製品の本体部分の上に機械的ファスナー手段を備えた洗濯可能のオシメを提供するための多くのアイデアが提案された。フックおよびループ型の機械的ファスナーは、接着剤テープファスナー手段と比較して一般に油または粉末によって汚染されにくく、再固定の容易なファスナー手段を成すが、吸収性製品を巻き上げてその汚物を収容し簡単に投げ出せるように廃棄状態に固定する使い捨て構造を有しない。一般に、フックファスナー部材が吸収性製品の第１末端区域に配置され、ループファスナー部材が吸収性製品の第２末端区域に配置される。従って廃棄のため吸収性製品が折り畳まれまたは巻き上げられた時、ループファスナー部材が吸収性製品の他の部分の下方に押し込まれるので、ループファスナー部材に係合する事ができない。さらにフックファスナー手段は吸収性製品の露出区域に対して、特にバックシートに対して固着されないので、吸収性製品は廃棄形状に簡便に固定できない。従って、吸収性製品を簡便に廃棄する事のできる機械的ファスナー手段を提供する事が好ましい。
　【０００６】
　［発明の目的および効果］
　従って、本発明の目的は、改良型ファスナー手段を有する使い捨て吸収性製品を提供するにある。
　本発明の他の目的は、改良型機械的ファスナー手段を有する使い捨て吸収性製品を提供するにある。
　本発明のさらに他の目的は、使い捨て吸収性製品を簡便に廃棄する事のできる処分手段を備えた機械的ファスナー手段を有する使い捨て吸収性製品を提供するにある。
　【０００７】
　［発明の概要］
　本発明によれば、吸収性製品を簡便に廃棄する事のできる機械的ファスナー手段を備えたオシメなどの使い捨て吸収性製品が提供される。
　機械的ファスナー手段は多くの形状をとる事ができるが、テープタブと第１ファスナー要素を含む閉鎖部材と、この閉鎖部材の第１ファスナー要素と係合する第２ファスナー要素を有するランド部材と処分手段とを含む。使用に際して第１ファスナー要素が第２ファスナー要素と係合して吸収性製品の確実な側面閉鎖を成す吸収性製品が汚れた後に、汚物が吸収性製品から漏れる事を防止する廃棄形状に吸収性製品を折り畳みまたは巻き上げる。つぎに吸収性製品をその廃棄状態に固定する。
　【０００８】
　本発明の処分手段は、吸収性製品が汚物を収容する廃棄形状に固定されるための任意の手段を含む。従って処分手段は吸収性製品の本体部分またはファスナー手段の上に配置される種々の要素を含む事ができる。好ましくは、処分手段は少なくとも一つのテープタブの裏あて面に固着された第２ファスナー要素を含み、他方のテープタブの第１ファスナー要素がこの処分手段の第２ファスナー要素に係合して、吸収性製品を廃棄状態に固定する。故に、処分手段は、テープタブ上に配置されたフックファスナー材またはループファスナー材の機械的ファスナー要素を含む事ができる。あるいは、処分手段は、吸収性製品が汚れた時に使用するためのその他任意の機械的ファスナー要素、本体部分またはファスナー手段の上に配置された接着剤固着手段、あるいは本体部分の上に配置された単数または複数の別個の接着剤テープタブを含む事ができる。
　【０００９】
　【発明の実施の形態】
　以下、本発明を図面に示す実施例について詳細に説明する。
　本発明の機械的ファスナー手段は使い捨て吸収性製品に使用するのに好適である。この明細書において、「使い捨て吸収性製品」とは身体の排泄物を吸収し収容する製品、さらに詳しくは身体から排泄される種々の排泄物を吸収し収容するため着用者の身体に当接しまたは近接して配置され、１回の使用後に廃棄される製品（すなわち洗濯またはその他の方法で回収されあるいは再使用されない製品）を言う。本発明の好ましい使い捨て吸収性製品はオシメ２０である。この明細書において、「オシメ」とは一般に幼児または失禁者によって着用され、その脚の間に引き上げられまたはウエスト周りに固定される衣類を言う。本発明を非常に容易に適用する事のできる種類のオシメは前記の米国特許Ｒｅ第２６，１５１および米国特許第３，８６０，００３号に記載され、これらの両特許を引例として加える。下記の説明から明らかなように、下記に図示説明する機械的ファスナー手段はこのようなオシメの本体部分に使用される。他方において、本発明は特定のオシメ構造または形状に限定されるものではない。
　【００１０】
　付図において、図１はオシメのユーザによって着用者の身体に配置される前の本発明のオシメ２０の部分破断斜視図である。図１に見られるように、好ましいオシメ２０は本体部分２２と機械的ファスナー手段２４とを含む。好ましい本体部分２２は、透液性トップシート２６と、吸収性コア２８と、不透液性バックシート３０と、弾性収縮性脚カフス３２とを含み、この脚カフス３２はサイドフラップ３４と単数または複数の弾性部材３６とを含む。トップシート２６と、吸収性コア２８と、バックシート３０と、サイドフラップ３４と、弾性部材３６は種々の公知の構造に組立てる事ができるが、好ましい使い捨てオシメ構造は米国特許第３，８６０，００３号に記載され、これを引例として加える。
　【００１１】
　図１は本体部分２２の好ましい実施態様を示し、トップシート２６とバックシート３０は同延長であって、吸収性コア２８より大なる長さと幅を有する。トップシート２６はバックシート３０の上に重なり合い、本体部分の外周部分３８を成す。この外周部分３８は、本体部分２２の外周を成し、すなわちその外延を限定する。外周部分３８は縦縁４０と末端縁４２とを含む。
　【００１２】
　本体部分２２は内側面４４と外側面４６とを有する。一般に外側面４６はオシメの一方の末端縁４２から他方の末端縁４２まで、また一方の縦縁４０から他方の縦縁４０まで延在し、オシメの使用中に着用者から離れた面である。バックシート３０が使用される場合、このバックシートは本体部分２２の外側面４６を成す。内側面４４は外側面４６の反対側の面であって、図示の実施例においてはトップシート２６によって形成される。一般に、内側面４４は外側面４６と同延長であって、オシメ２０が着用される時に、その大部分が着用者に接触する。
　【００１３】
　オシメ２０は、それぞれオシメ外周３８の末端縁４２からオシメ２０の横方向中心線に向かって延在する第１および第２区域４８，５０を有する。これらの末端区域４８，５０は、それぞれオシメの長さの約半分延在し、各区域がオシメ２０のそれぞれ半分を占める。
　【００１４】
　第１末端区域４８と第２末端区域５０はそれぞれパネル５１を有する。これらのパネルは、オシメ２０が着用者のウェスト回りに固着された時に重なり合う末端区域部分である。末端区域が重なり合う延長、すなわちパネル５１の延長は、オシメ２０の全体寸法と着用者のサイズとに依存する。
　【００１５】
　吸収性コア２８は、一般に圧縮性で、形状一致性で、着用者の皮膚を刺激せず、液体および排泄物を吸収し収容する事のできる任意手段とする。吸収性コア２８は種々の形状に形成する事ができ（例えば、長方形、砂時計型など）、また一般にエアフェルトと呼ばれる粉砕ウッドパルプなど、使い捨てオシメおよびその他の吸収性製品の製造に使用される各種の液体吸収性材料で製造する事ができる。他の適当な吸収性材料の例は、糸紙、吸収性フォーム、吸収性スポンジ、超吸収性重合体、吸収性ゲル化材料、またはその他の同等の材料あるいはその組合せである。しかし吸収性コア２８の全吸収能力はオシメ２０の特定の用途における設計排泄物装入量に対応しなければならない。さらに吸収性コア２８のサイズと吸収能力は幼児から成人までの範囲内の着用者に対応するように変動されなければならない。
　【００１６】
　吸収性コア２８は米国特許第４，６１０，６７８号に記載のように、単一層の吸収性材料から成る事ができ、この特許を引例として加えるが、吸収性コア２８の好ましい実施態様は、米国特許第４，６７３，４０２号に記載のような二重層吸収性コアであって、この特許を引例として加える。この構造は非対称形状の上層５２と下層５４とを有する。上層５２は、好ましくは親水性繊維材料から成る液体吸収／分布層として作用する。下層５４は、親水性繊維材料と、吸収性ゲル化材料粒子（ハイドロゲル材料）との混合物から成る流体貯蔵層として作用する。上層５２と下層５４はそれぞれティシュ層の中に包囲された吸収性層から成る。しかし、上層５２または下層５４のサイズ、形状、構造および全吸収能力は幼児から成人までの範囲の着用者に適合するように変動される。従ってこれらの層の寸法、構造および形状は任意に変更する事ができる（例えば、上層あるいは下層が可変的キャリパ、親水性勾配、急速吸収区域を有し、または吸収性ゲル化材料を含有する事ができる）。
　【００１７】
　吸収性コア２８はバックシート３０の上に重ねられ、好ましくはこれに対して業界公知の、例えば感圧接着剤、ホットメルト接着剤またはその他の接着剤、超音波接合、または熱／圧密封などのコア取り付け手段５５によって取り付けられる。吸収性コア２８はバックシート３０に対して接着剤の均一連続層、パターン層または接着剤の別々の線または点の列によって固着する事ができる。満足である事が発見された接着剤はホットメルト接着剤、例えば、米国テネシー州、キングスポート、イーストマンケミカルプロダクツ社によって製造され、商標Ｅａｓｔｏｂｏｎｄ　Ａ−３によって市販されている製品または、米国オハイオ州、コロンパス、センチュリーアドヘッシブ社によって製造され商標Ｃｅｎｔｕｒｙ５２２７で市販されている製品である。コア取り付け手段５５は米国特許第４，５７３，９８６号に記載のような接着剤フィラメントの開放パタンネットワークから成る。この特許を引例として加える。
　【００１８】
　バックシート３０は不透液性であって、好ましくは薄いプラスチックフィルムによって製造されるが、他の可撓性不透液性材料を使用する事もできる。バックシート３０は、吸収性コア２８の中に吸収され収容されている排泄物がシーツおよび下着などのオシメ２０と接触する製品を汚す事を防止する。好ましくは、バックシート３０は厚さ約０．０１２ｍｍ（０．５ミル）〜約０．０５１ｍｍ（２．０ミル）のポリエチレンフィルムとするが、他の可撓性不透液性材料を使用する事もできる。この場合「可撓性」とは、形状一致性であって、人体の全体形状および輪郭に容易に合致する材料を言う。
　【００１９】
　適当なポリエチレンフィルムは、モンサントケミカル社によって製造され商標Ｆｉｌｍ　Ｎｏ．８０２０で市販されている。バックシート３０は好ましくは布様外観を生じるためエンボス加工および／またはツヤ消し加工仕上げをされる。さらに、バックシート３０は、排泄物の通過を防止しながら吸収性コアから水蒸気を脱出させる事ができる。
　【００２０】
　バックシート３０のサイズは、吸収性コア２８のサイズおよび選定された正確なオシメ設計によって決定される。好ましい実施態様においてバックシート３０はオシメ外周３８全体から外側に少なくとも約１．３ｃｍ〜約２．５ｃｍ（約０．５〜約１．０インチ）の最小距離だけ吸収性コアから延長された変形砂時計の形状を有する。
　【００２１】
　本発明の製品の本体部分２２のトップシート２６は形状一致性の、柔らかな感触を有する、着用者の皮膚を刺激しないものである。さらに、このトップシート２６は液体を容易に貫通させる透液性である。適当なトップシート２６は、多孔性フォーム、網状フォーム、アパチュアドフィルム、天然繊維（木材繊維または綿繊維）、合成繊維（例えばポリエステルまたはポリプロピレン繊維）、または天然繊維と合成繊維との組合せから製造する事ができる。好ましくはトップシート２６は吸収性コア２８の中に保持された液体から着用者の皮膚を隔離するために疎水性材料から作る。
　【００２２】
　特に好ましいトップシート２６は、米国デラウェア州、ウイルミングトン、ハーキュリーズ社から市販されているハーキュリーズタイプ１５１などの約１．５デニールのステープル長ポリプロピレン繊維を含む。この場合「ステープル長繊維」とは少なくとも約１５．９ｍｍ（０．６２５インチ）の長さを有する繊維を言う。
　トップシート２６を製造するために使用される多くの技術がある。例えばトップシート２６は織布、不織布、スパンポンディッド布、カーディッド布、ハイドロフォームド布とする事ができる。トップシート２６は業界公知の手段によってカージング処理され、熱接合される。好ましくはトップシート２６は約１５〜約３０ｇ／平方メートルの坪量とマシン方向においてセンチメートル当り少なくとも約４００ｇの最小乾燥引っ張り強さと、クロスマシン方向においてセンチメートル当り少なくとも約５５ｇの引っ張り強さとを有する。
　【００２３】
　トップシート２６とバックシート３０はオシメ業界公知の任意適当な手法によって相互に組み合わされる。この場合、「組み合わされる」とは、トップシート２６をバックシート３０に対して直接に固着する事によってバックシートに対して直接に接合する構造、およびトップシート２６を介在部材に対して固着し、この介在部材をバックシートに固着する事によってバックシート３０に対して間接的に接合する構造とを含む。好ましい実施態様において、トップシート２６とバックシート３０は接着剤または業界公知のその他任意の取り付け手段などのフラップ取り付け手段５６によってオシメ外周３８に沿って相互に直接に接合される。一般に、吸収性コア２８をバックシート３０に対して固着するコア取り付け手段５５も前記のフラップ取り付け手段５６と同一の手段とする。従って例えば、前記の米国特許第４，５７３，９８６号に記載のような、接着剤の均一連続層、パターン層、別々の線または点の列、あるいは接着剤フィラメントのネットワークを使用する事ができる。
　【００２４】
　弾性的に収縮性の脚カフス３２が、本体部分２２の外周３８に隣接して、好ましくはオシメの縦縁４０に沿って配置され、これらの脚カフス３２がオシメを引っ張って、着用者の脚に当接保持させる。脚カフス３２はオシメ業界公知の任意の手段とする事ができるが、特に好ましい脚カフス構造は、前記の米国特許第３，８６０，００３号に詳細に記載のように、サイドフラップ３４と単数または複数の弾性部材３６とを含む。さらに弾性収縮性脚カフスを有する使い捨てオシメの製造に適した方法および装置は米国特許第４，０８１，３０１号に記載されており、この特許を引例として加える。好ましい実施態様において、弾性収縮性脚カフス３２はサイドフラップ３４と、弾性紐から成る弾性部材３６とを含む。
　オシメ２０は側面閉鎖を成すための機械的ファスナー手段２４を備える。すなわちオシメ２０が着用者に対して取り付けられる際に、その第１末端区域４８と第２末端区域５０が重なり合い状態に保持される。
　【００２５】
　図１に図示の本発明の好ましい実施態様において、ファスナー手段２４は、第１末端区域４８の縦縁４０に沿って配置されたテープタブ６０および第１ファスナー要素６２とを有する閉鎖部材５８と、本体部分２２の外側面４６の第２末端区域５０の中に配置されて前記第１ファスナー要素６２と係合する第２ファスナー要素６６を有するランド部材６４と、オシメ２０を簡単に廃棄できるように使い捨て形状に固定するように本体部分２２またはファスナー手段２４、好ましくはテープタブ６０上に配置される処分手段６８とを含む。
　【００２６】
　各閉鎖部材５８は、オシメ２０の確実な側面閉鎖をなすようにランド部材６４と係合する機械的ファスナー手段を成すものである。従って閉鎖部材５８は少なくとも１つのファスナー要素６２を含む。また各閉鎖部材５８は、好ましくは側面閉鎖のため第１ファスナー要素６２をランド部材６４に隣接して配置するための手段を含む。すなわち閉鎖部材５８は、オシメ２０の内側面および／または外側面に固着された内部ファスナー部材、テープタブまたはベルトなど、オシメ２０の側面閉鎖を成すための任意公知の構造および固着手段を含む事ができる。好ましい閉鎖部材５８は内部ファスナー部材またはテープタブを含む。
　【００２７】
　内部ファスナー部材は、オシメ２０の本体部分上に配置されたファスナー要素またはファスナー要素と接着剤固着手段との組合せを含む。従って好ましい内部ファスナー部材は、フックファスナー材料のストリップまたはパッチから成る第１ファスナー要素６２とする。内部ファスナー部材は、本体部分の内側面４４または外側面４６、あるいは第１末端区域４８または第２末端区域５０など、本体部分の任意の箇所に配置する事ができる。好ましくは本体部分の内側面４４の第１末端区域４８の中に、それぞれ縦縁４０に隣接して、ランド部材６４と係合するように配置される。各内部ファスナー部材の第１ファスナー要素６２は、本体部分に対して接合され、本体部分２２のパネル５１において好ましくは約１インチ幅（長手方中心線に対して直角方向）×約２．５インチ（すなわち、長手方中心線に対して平行方向）の面積を有する。この内部ファスナー部材の実施例は米国特許第４，６９９，６２２号に記載され、これを引例として加える。
　【００２８】
　図１と図２に図示のように、閉鎖部材５８は好ましくはテープタブ６０を含む。テープタブの任意公知の構造および形状を使用する事ができる。好ましいテープタブは、米国特許第３，８４８，５９４号に詳細に記載されているＹ形のテープタブであって、この特許を引例として加える。図１に図示のように、テープタブ６０は本体部分２２の各縦縁４０に隣接して最も好ましくは第１末端区域４８に配置される。
　【００２９】
　特に好ましいテープタブ６０は図２に図示され、ファスナー面７０と裏あて面７２とを有する。ファスナー面７０は本発明のランド部材６４と係合するテープタブの面である。すなわち、ファスナー面７０はオシメの本体部分２２の内側面４４に対応し、その上に接着剤固着手段６３と第１ファスナー要素６２とを備える。裏あて面７２は、ファスナー面７０と反対側の面であって、オシメ本体部分２２の外側面４６に対応する。従って、裏あて面７２はオシメ２０の着用中露出されている。
　【００３０】
　図２に図示の好ましいテープタブ６０は、本体部分２２の内側面４４と外側面４６に対して固着されて、メーカの末端を成す（すなわち、オシメ２０に対するテープタブの固着がオシメの製造中に実施される）。テープタブ６０はユーザの末端としての他の要素を有する（すなわち、オシメを着用者に取り付ける人によって作られる継手部分）。すなわち本発明の好ましいテープタブは少なくとも下記の３要素を有する：第１固定部分７４、第２固定部分７６、連結部分７８。第１固定部分７４は本体部分２２の内側面に取り付けられた部分である。第２固定部分７６は本体部分２２の外側面４６に取り付けられた部分である。従って第１固定部分７４と第２固定部分７６は、テープタブ６０のメーカの末端を成す。連結部分７８は、使用者が着用者に対してオシメ２０を固着する際にこのオシメ２０の他の部分に対して、一般にランド部材６４に対して取り付けられる部分である。従ってこの連結部分７８はユーザの末端を成す。さらに、第２固定部分７６の外側面と連結部分７８の外側面はテープタブ６０の裏あて面７２を成すが、第１固定部分７４の内側面と連結部分７８の内側面はテープタブ６０のファスナー面７０を成す。
　【００３１】
　本発明の好ましいＹ形テープタブ６０はいくつかの手法で製造する事ができる。第１固定部分７４、第２固定部分７６、および連結部分７８は、それぞれ本体部分２０の縦縁４０に隣接して接合区域において相互に接合される別々のテープである。テープタブ６０のさらに実際的構造は、連結部分７８と、第１固定部分７４または第２固定部分７６のいずれかとが一体的テープストリップを成す構造である。図２に図示のように連結部分７８が第２固定部分７６と一体を成す場合、第１固定部分７４は本体部分２２の縦縁４０に隣接した接合区域８０において、連結部分７８／第２固定部分７６結合体に連結された別個の要素である。
　【００３２】
　図２はテープタブ６０を本体部分２２に対して固着するためのタブ固着手段を示す。この手段は適当な接合を成す任意の固着手段、好ましくは接着剤業界公知の任意の感圧接着剤とする。第１固定部分７４の第２面７５´が本体部分２２の内側面４４に対して、第１タブ固着手段８０によって固着される。第２固定部分７６の第１面７７が本体部分２２の外側面４６に対して、第２タブ固着手段８２によって固着される。連結部分７８は、その第１面７９上に第１ファスナー要素６２を第２タブ固着手段８２（あるいは、連結部材７８が第２固定部分７６とは別個の要素であれば第３タブ固着手段）によって取り付けられている。しかし接着剤固着手段を別個に第１ファスナー要素６２上に配置し、これを連結部分７８に接合する事もできる。
　【００３３】
　テープタブ６０の好ましい素材は、米国ミネソタ州、セントポール、ミネソタ　マイニング　アンド　マニュファクチャリング社から入手されるテープコードＮｏ．ＸＰＦ　１４．４３．０、Ｙ−９３７６またはＹ−９０３０などのテープ材料を含む。これらの実施態様において使用されるテープ材料は好ましくはポリエチレンフィルムであって、ポリエチレンに接合するように配合されたタブ固着手段が前記テープ材料上に配置されている。このタブ固着手段は、オシメの他の部分と適当に接合する任意の接着剤であって、好ましくは業界公知の任意の感圧接着剤とする。好ましいタブ固着手段はミネソタ州、セントポール、ミネソタ　マイニング　アンド　マニュファクチャリング社から入手されるコードＮｏ．ＸＰＦ　１．４２．３４などの感圧接着剤とする。
　【００３４】
　図２に図示のように、テープタブ６０は連結部分７８の末端縁７１にグリップタブ８３を備える。このグリップタブは、連結部分７８の縁７１を折り返して接着する事によって形成される。これにより、オシメ２０を着用者に取り付けて固着する際にユーザが容易に把持する事のできる末端部分を連結部分７８上に形成する。グリップタブ８３は、使用中に連結部分７８を第１固定部分７４上に重ね合わせる際に最も有効である。
　【００３５】
　閉鎖部材５８の第１ファスナー要素６２は閉鎖部材５８とランド部材６４との間を閉鎖する。すなわち第１ファスナー要素６２はランド部材６４の第２ファスナー要素６６に係合する単数または複数の要素を成す。従って第１ファスナー要素６２は、ボタン、スナップ、フックまたはループファスナーなどの側面閉鎖を成す任意公知の手段とする事ができる。
　【００３６】
　第１ファスナー要素６２は、テープタブ６０に接合された別個の部材とし、またはテープタブ６０と一体を成す部材とする事ができる。例えばトップシート６０はランド部材６４と機械的に係合するようにその上に形成または成形された係合要素を有し（一体型第１ファスナー要素６２）、またはテープタブ６０に対して別個のパッチまたはストリップを接合する事ができる（別部材型第１ファスナー要素６２）。好ましくは第１ファスナー要素６２はテープタブ６０のファスナー面７０に接合された別個の部材とする。
　【００３７】
　第１ファスナー要素６２は好ましくはテープタブ６０のファスナー面７０に対して接合される。この明細書において、「接合される」とは、特にオシメ２０が汚れた後にユーザが第１ファスナー要素６２を接着剤固着手段６３から引き剥す事ができるようにテープタブ６０に対して着脱自在に固着される構造と、第１ファスナー要素６２がテープタブ６０に対して固定的に固着される構造とを含む。また「接合される」とは、第１ファスナー要素６２がテープタブに対して直接に接合される場合と、第１ファスナー要素６２を着脱自在に介在部材に固着し、この介在部材をテープタブに対して着脱自在に固着する事によって第１ファスナー要素６２を間接的にテープタブ６０に対して接合する場合とを含む。好ましくは図２に図示のように、第１ファスナー要素６２をテープタブ６０の固定部分７８に対して第２タブ固着手段８２によって直接に固着する。
　【００３８】
　第１ファスナー要素６２はテープタブ６０のファスナー面７０の任意の箇所に配置する事ができるが、閉鎖部材５８が内部ファスナー部材を含む時、第１ファスナー要素６２は好ましくは末端区域４８のパネル５１の中に縦縁４０に隣接して配置される。閉鎖部材５８がテープタブ６０を含む時、第１ファスナー要素６２は、好ましくはファスナー面７０の全部または一部に、さらに好ましくは連結部分７８の全部または一部に配置される。最も好ましくは第１ファスナー要素６２は、連結部分７８の第１区域（一部）に、テープタブ６０の末端縁７１に隣接して配置される。この構造の実施例は、米国特許第５，０１９，０６５号明細書に記載され、この特許を引例として加える。
　図２は本発明の好ましい実施態様の第１ファスナー要素６２を示す。この第１ファスナー要素６２はフックファスナー材８４を含む。この明細書において、「フックファスナー材」とは係合要素８６を有する材料を言う。すなわちこのフックファスナー材８４はオスファスナーと呼ぶ事もできる。また「フック」とは、係合要素８６が補形の第２ファスナー要素６６と係合できる限り業界公知の任意の形状を取るという意味で非制限的用語である。図示のように、フックファスナー材８４は好ましくは、第１面と第２面を有する基体８８と、基体８８の第１面から突出した複数の係合要素８６とを含む。各係合要素８６は基体８８の第１面の上に支持された軸部９４と、軸部９４の基体８８と反対側末端に配置された拡大ヘッド９６とを含む。
　【００３９】
　本発明の好ましいフックファスナー材８４はループファスナーの繊維要素と係合してファスナー装置を成すように構成される。従って、このフックファスナー材８４は各種の材料で製造する事ができる。適当な材料は、ナイロン、ポリエステル、ポリプロピレン、またはその組合せである。ミネソタ州、セントポール、ミネソタ　マイニング　アンド　マニュファクチャリング社から入手される「スコッチメート」ブランドＮｏ．ＦＪ３４０２などの織布ライニングから突出した多数の係合要素８６を含む。あるいは、この係合要素８６はフック状、Ｔ状またはその他業界公知の任意の形状を有する事ができる。特に好ましいフックファスナー材料は、米国特許第４，８４６，４１５号明細書に記載され、これを引例として加える。
　【００４０】
　機械的ファスナー手段２４のランド部材６４は、それ自体と閉鎖部材５８とを相互に固着して、オシメの第１末端区域４８と、第２末端区域５０とを重なり合う状態に保持するための手段を成す。ランド部材６４は、閉鎖部材５８と係合して側面閉鎖を保持する限り、オシメ２０の任意の場所に配置する事ができる。例えば、ランド部材６４は、第２末端区域５０の外側面４６上に、あるいは第１末端区域４８の内側面４４上に、あるいは閉鎖部材５８と係合するその他の任意の場所に配置する事ができる。さらに、ランド部材６４は、オシメ２０に固着された別個の要素とし、あるいはオシメ２０のトップシート２６またはバックシート３０などの要素と不可分にまたは連続的に備えられた一体部材とし、あるいは一体部材と別個部材との組合せとする事ができる。ランド部材６４は種々のサイズと形状をとる事ができるが、好ましくはバックシート３０の一部と、着用者のウェストに最もよくフィットするように第２末端区域５０の外側面４６に配置された単数または複数の別個のパッチとを含む。図１と図５に図示のオシメ２０の好ましい実施態様は、第２末端区域５０の縦縁４０に隣接して外側面４６に固着された細長い長方形のランド部材６４を含む。
　【００４１】
　ランド部材６４は好ましくは、テープタブ６０の第１ファスナー要素６２に係合する第２ファスナー要素６６を含む。すなわち、この第２ファスナー要素６６は種々の材料から作られ、第１ファスナー要素６２に係合する種々の形状を有する事ができる。例えば、第２ファスナー要素６６は、第１ファスナー要素６２と補形の同一要素とし、または別個の要素とする事ができる。この場合、「補形の同一要素」とは、第１ファスナー要素６２と第２ファスナー要素６６の係合部材が相互に係合する同一の形状または構造を有する機械的ファスナー手段を定義するために使用される。このような手段の例は米国特許第４，３２２，８７５号および米国特許第４，７０１，１７９号に記載されている。「補形の別個の要素」とは、第１ファスナー要素６２が第２ファスナー要素６６と相違する形状を有するが、これと係合する事ができる場合、例えばボタンと穴、フックファスナーとループファスナー、あるいはオス部材とメス部材などを意味する。好ましくは、第２ファスナー要素６６は、第１ファスナー要素６２がループであるかフックであるかに従って、フックあるいはループとする。図５に図示のように、ランド部材６４は、ループファスナー９８などの複数のファイバ要素を備えた第２ファスナー要素６６を含む。
　【００４２】
　第２ファスナー要素６６のループファスナー材９８は、フックファスナー材８４の係合ヘッド８６に係合するファイバ要素を成す。これらのループファスナー材９８は、ファイバ要素、好ましくはループを成す種々の材料から製造する事ができる。その適当な材料はナイロン、ポリエチレン、ポリエステル、ポリプロピレンまたはその組合せである。適当なループファスナー材９８は、ミネソタ州、セントポール、ミネソタ　マイニング　アンド　マニュファクチャリング社の登録商標「スコッチメート」Ｎｏ．ＳＪ３４０１のナイロン織成ループなど、ライニングから突出したファイバループを含む。また好ましいループファスナー材９８は、ノースカロライナ州グリンスボロのギルフォードミル社から市販されている「ギルフォードＮｏ．１６１１０」などのナイロンライニングから突出したナイロンフィラメントループから成るトリコットニットファブリックである。あるいは、ループファスナー材９８は不織布、あるいはその他任意の型の業界公知のファイバ材料またはループ材料とする事ができる。経済的なループファスナー材とその製造方法は米国特許第５，０３２，１２２号明細書に記載され、これを引例として加える。
　【００４３】
　本発明の処分手段６８は、オシメ２０を簡便容易に廃棄するための要素を成す。すなわち、処分手段６８は、オシメ２０を廃棄形状に折り畳みまたは巻き上げてこの形状に保持しオシメ２０内部に汚物を収容する事のできる任意の構造を有する。例えば、処分手段６８は接着性テープタブ、接着剤固着手段、機械的ファスナー要素、フックファスナー材、ループファスナー材、第１ファスナー要素および第２ファスナー要素又は当業者に知られた他の要素又は要素の組合わせなど、本体部分２２上にまたはファスナー手段２４上に配置される種々の要素とする事ができる。
　【００４４】
　処分手段６８は、オシメ２０を廃棄形状に保持できる限り、オシメ２０の本体部分またはファスナー手段２４のいずれにも配置する事ができる。例えば、処分手段６８は、本体部分２２の内側面４４上にも、外側面４６上にも、第１末端区域４８または第２末端区域５０上にも、一方または両方のテープタブ６０などのファスナー手段２４上にも配置する事ができる。処分手段６８は、ファスナー面７０上またはテープタブ６０の裏あて面７２上にも、連結部分７８、第１固定部分７４、第２固定部分７６の上にも、あるいは一方または両方のテープタブ６０の要素の任意の組合せ上に配置する事ができる。
　【００４５】
　さらに、処分手段６８はオシメ２０に連結された別個の要素とし、あるいはトップシート２６、バックシート２８または一方の第１ファスナー要素６２などのオシメ要素に連続不可分の単一部材としての一体要素とする事ができる（例えば、一方のテープタブの第１ファスナー要素が他方のテープタブの第１ファスナー要素と相補形であって相互に固着される場合、一方の第１ファスナー要素が処分手段を成す）。処分手段６８は各種の要素とし種々のサイズおよび形状を有する事ができるが、好ましい処分手段６８は、オシメ２０を廃棄するために配置された第２ファスナー要素としての接着剤テープタブまたは機械的ファスナー要素とする事ができる。
　【００４６】
　図２と図５に図示のオシメ２０の好ましい実施態様は、少なくとも一方のテープタブ６０に固着された第２ファスナー要素１０６から成る別個要素としての処分手段６８を有する。処分手段６８は好ましくは各テープタブ６０の裏あて面７２に固着された第２ファスナー要素１０６を含む。この第２ファスナー要素１０６はテープタブ６０のファスナー面７０に配置する事もできるが、反対側テープタブ６０の第１ファスナー要素６２が第２ファスナー要素１０６に容易に固着されてオシメ２０の廃棄のためテープタブ６０を容易に閉鎖できるように、この処分手段６８は好ましくはテープタブ６０の裏あて面７２に配置される。また第２ファスナー要素１０６は連結部分７８上にテープタブ６０の末端縁に隣接して配置される。
　【００４７】
　処分手段６８の第２ファスナー要素１０６は、本発明のランド部材６４として使用される任意の構造を有する事ができる。例えば、第２ファスナー要素１０６は一体要素または別個要素とし、フックファスナー材またはループファスナー材とし、また補形の単一要素または補形の別個要素とする事ができる。好ましくは処分手段６８の第２ファスナー要素１０６はランド部材６４の第２ファスナー要素６６と同一の材料とし、好ましくはテープタブ６０のファスナー面７０上に配置されたフックファスナー材８４と係合可能のループファスナー材とする。従って一方のテープタブ６０のフックファスナー材８４を他方のテープタブ６０の裏あて面７２上の処分手段６８のループファスナー材に固着する事ができる。処分手段６８の第２ファスナー要素１０６は、好ましくは裏あて面７２に対して、業界公知の接着剤固着手段１０８によって、好ましくは感圧接着剤によって固着される。
　【００４８】
　オシメ２０を使用する際、第１末端区域４８を着用者の背中の下に配置し、オシメ２０の他の部分を着用者の足の間を引っ張って、第２末端区域５０を着用者の前側に配置する。つぎに、テープタブ６０の連結部分７８を第２末端区域５０の外側面４６のランド部材６４に対して固着し、テープタブ６０のファスナー面７０上に配置された第１ファスナー要素６２を第２ファスナー要素６６に係合させて側面閉鎖を成す。オシメ２０が汚れたとき、オシメ２０を着用者から離す。その場合、第２末端区域５０のパネル５１を内側に折込み、本体部分２２を第２末端区域５０から折込みまたは巻き込んで、テープタブ６０が巻上がったオシメ２０から外側に突出する図６に図示の構造にする。つぎに図７に図示のように、一方のテープタブ６０の第１ファスナー要素６２を他方のテープタブ６０上に配置された処分手段６８の第２ファスナー要素１０６に固着すれば、オシメ２０を巻かれた状態に固定されるので、これをごみ箱に簡単に捨てる事ができる。
　【００４９】
　図３に図示の本発明の他の実施態様においては、処分手段３６８はテープタブ３６０、好ましくはその裏あて面７２上に配置された接着剤固着手段１１０を含むが、これをファスナー面７０の一部上に配置する事ができる。またオシメ２０が汚れるまで接着剤を露出しないように、処分手段３６８は接着剤固着手段１１０上に配置されたリリースライナー１１２を含む。接着剤固着手段１１０はこのような目的で業界で使用されている任意の接着剤または糊を使用する事ができるが、感圧接着剤が好ましい。リリースライナー１１２は、接着剤固着手段の乾燥を防止し、使用前に異物に付着する事を防止する。このような目的に使用されている任意のリリースライナーを使用する事ができるが、適当な例は、アクロシル社製造のＢＬ　３０ＭＧ−Ａ　ＳＩＬＯＸ　Ｅ１−０およびＢＬ　３０ＭＧ−Ａ　ＳＩＬＯＸ　４Ｐ／０である。この実施態様においては、オシメ２０が汚れて廃棄形状に成された時に、リリースライナー１１２が接着剤固着手段１１０から除去されて、接着剤固着手段１１０が他方のタブ３６０または本体部分２２のバックシート３０などに固着されて、オシメ２０をその使い捨て状態に固定する。
　【００５０】
　図４に図示の本発明のさらに他の実施態様においては、処分手段４６８はテープタブ４６０のファスナー面７０上に配置された接着剤固着手段１１４（この実施例においては第２タブ固着手段８２）を含む。テープタブ６０の第１ファスナー要素６２は接着剤固着手段１１４によってファスナー面７０に対して着脱自在に固着されている。従って、オシメ２０が汚れて廃棄形状に成された時に、第１ファスナー要素６２が接着剤固着手段１１４から剥離されて接着剤固着手段１１４を露出する。露出された接着剤固着手段１１４を他方のテープタブ４６０、またはバックシート３０、またはオシメ２０の他の任意の箇所に固着する事によってオシメ２０を廃棄状態に固定する。故に接着剤固着手段１１４はこのような目的に使用される公知の任意の接着剤とし、感圧接着剤が好ましい。
　【００５１】
　図８に図示のさらに他の実施態様においては、処分手段８６８は本体部分２２上に配置された接着剤テープタブ１１６を含む。この接着剤テープタブは業界公知の任意の接着剤テープタブとする事ができる。このテープタブ１１６の例は前記の米国特許第３，８４８，５９４号に記載されている。接着剤テープタブ１１５はオシメ２０の本体部分２２上の任意の箇所に配置する事ができるが、好ましくは第１末端区域４８上に、オシメ２０の末端縁４２に隣接して、最も好ましくは末端縁４２に沿って横方向にセンタリングして配置され、処分手段８６８を成す。従って、オシメ２０が汚れて折り畳まれまたは巻き上げられた後に、ユーザが接着剤テープタブ１１６をそのリリースライナーから離脱させ、その接着剤を本体部分２２のバックシート３０または本体部分２２に対して固着させて、巻き上げられたオシメ２０を閉鎖状態に固定する。
　【００５２】
　図９に図示の本発明のさらに他の実施態様においては、処分手段９６８は２つの接着剤テープタブ１１８，１２０を含む。これらの接着剤テープタブは本体部分２２上の任意の箇所に例えば各末端縁４２に隣接して配置する事ができるが、好ましくはそれぞれオシメ２０の第１末端縁４８において、縦縁４０に隣接して、最も好ましくはテープタブ６０に隣接して配置される。従ってこの実施態様においては、処分手段９６８は第２対のテープタブを成し、これは着用中のファスナー手段およびオシメ２０が汚れた後の処分手段として、あるいはオシメ２０が汚れた後にのみ処分手段として使用される。これらの接着剤テープタブ１１８，１２０は、オシメ２０を廃棄形状に固定するため、本体部分２２のバックシート３０などに固着し、あるいは相互に固着して処分手段９６８として使用される。
　本発明は前記の説明のみに限定されるものでなく、その主旨の範囲内において任意に変更実施できる。
【図面の簡単な説明】
　【図１】
　本発明による実施態様のオシメの部分破断斜視図。
　【図２】
　図１の２−２線に沿ったテープタブの断面図。
　【図３】
　本発明の他の実施態様の図２と同様の断面図。
　【図４】
　本発明のさらに他の実施態様の図２と同様の断面図。
　【図５】
　図１のオシメを着用する際の状態を示す立面図。
　【図６】
　本発明のファスナー手段を使用する前の廃棄状態の図１のオシメを示す斜視図。
　【図７】
　本発明のファスナー手段を使用した後の廃棄状態の図１のオシメを示す斜視図。
　【図８】
　本発明の他の実施態様によるオシメの平面図。
　【図９】
　本発明のさらに他の実施態様によるオシメの平面図。
　【符号の説明】
２０　オシメ
２２　オシメ本体
２４　機械的ファスナー手段
４４　本体内側面
４６　本体外側面
４８　第１末端区域
５０　第２末端区域
５８　閉鎖部材
６０　テープタブ
６２　第１ファスナー要素
６３　接着剤固着手段
６４　ランド部材
６６　第２ファスナー要素
６８　処分手段
７０　ファスナー面
７１　末端縁
８４　フックファスナー材
８６　係合要素
９８　ループファスナー材
３６８，４６８，８６８，９６８　処分手段